(57)【特許請求の範囲】
【請求項１】
接続しようとするフレキシブル板状電線の端子部が挿入される板状電線挿入部を有するハウジングと、
前記板状電線挿入部内に突出する弾性接触部を有し、プリント配線基板に接続される複数のコンタクトと、
前記板状電線挿入部に挿抜自在で、該板状電線挿入部に挿入されることにより、前記フレキシブル板状電線の端子部を前記コンタクトの弾性接触部に弾性的に接触させるスライダーと、
前記ハウジングに回動自在に支持された操作レバーとを備え、
該操作レバーには、前記スライダーに設けられた従動部に当接するカム部を有し、前記操作レバーを回動させることにより、前記カム部が前記従動部を押圧して、前記スライダーを、板状電線挿入部に挿入された位置と、板状電線挿入部から抜け出た位置との間で進退させるようにしてなるフレキシブル板状電線接続用コネクタにおいて、
前記カム部は、前記操作レバーの回動軸中心からの距離が異なる複数のカムを有し、前記操作レバーを回動させることによって、該各カムが前記従動部のそれぞれ対応する部分に順に当接し、前記スライダーを順次動作させるようにしたことを特徴としてなるフレキシブル板状電線接続用コネクタ。
【請求項２】
各カムは、それぞれ押圧曲面を有し、該各押圧曲面が段差をなすように配置され、前記スライダーは、前記各カムがそれぞれ当接される複数の従動面が段状に配置された従動部を備え、前記操作レバーを回動させることにより前記スライダーの各従動面に対してそれぞれ対応する前記各カムが順に当接して、前記スライダーを順次動作させるようにした請求項１に記載のフレキシブル板状電線接続用コネクタ。
【請求項３】
スライダーは、板状電線挿入部から抜け出た位置にある際に、プリント配線基板に固着されるコンタクトを視覚可能な確認用窓を備えた請求項１又は２に記載のフレキシブル板状電線接続用コネクタ。
【請求項４】
スライダーは、フレキシブル板状電線に沿って板状電線挿入部に挿入され、その板状電線側面に、前記フレキシブル板状電線の側縁部に形成された抜け止め凹部が係合される抜け止め突起を備えた請求項１、２又は３に記載のフレキシブル板状電線接続用コネクタ。
【発明の詳細な説明】
【０００１】
【発明の属する技術分野】
本発明は、ＦＰＣやＦＣＣ等のフレキシブル板状電線と、プリント配線基板とを接続するフレキシブル板状電線接続用コネクタに関する。
【０００２】
【従来の技術】
従来、ＦＰＣやＦＣＣ等のフレキシブル板状電線をプリント配線基板に接続させるには、フレキシブル板状電線が可撓性を有する為にＺＩＦ（ゼロ  イン  フォース）構造を有するフレキシブル板状電線接続用コネクタを介して接続するようにし、少ない挿入力で好適にフレキシブル板状電線の端子部をコネクタに挿入できるようにしており、このようなフレキシブル板状電線接続用コネクタとして、図１０に示す如きものが提供されている（特許文献１を参照）。
【０００３】
このフレキシブル板状電線接続用コネクタ１は、接続しようとするフレキシブル板状電線２の端子部が挿入される板状電線挿入部３を有するハウジング４と、板状電線挿入部３内に突出する弾性接触部５ａ、６ａを有し、プリント配線基板７に接続される複数のコンタクト５，６と、板状電線挿入部３に挿抜自在なスライダー８と、ハウジング４に回動自在に支持され、スライダー８を従動させるカム部９を有する操作レバー１０とを備え、操作レバー１０を回動させることにより、カム部９の動作にスライダー８を従動させ、板状電線挿入部３に挿入された位置と、板状電線挿入部から抜け出た位置との間で進退させることができ、フレキシブル板状電線とともにスライダーが板状電線挿入部に挿入された位置では、フレキシブル板状電線２の端子部をコンタクトの弾性接触部５ａ，６ａと弾性的に接触させ、スライダー８が板状電線挿入部より抜け出た位置では、少ない挿入力で好適にフレキシブル板状電線の端子部をコネクタに挿入できるようになっている。
【０００４】
【特許文献１】
特開２００２−１７５８４８号公報
【０００５】
【発明が解決しようとする課題】
しかし、上述のような従来の技術では、コネクタ全体が小型化されると、スライダーを従動させるカム部の押圧曲面の半径も小さくせざるを得ず、それに伴ってスライダーのスライドできる量が少なくなるので、スライダーがフレキシブル板状電線の端子部をコンタクト側に押圧する部分の面積が小さくなり、十分な保持力が得られず、フレキシブル板状電線が板状電線挿入部より抜けやすくなるという問題があった。
【０００６】
本発明は、このような従来の技術の状況を鑑み、コネクタ全体が小型化されても、十分なスライダーのスライド量を確保することができ、フレキシブル板状電線が容易に抜けることがないフレキシブル板状電線接続用コネクタの提供を目的とする。
【０００７】
【課題を解決するための手段】
上述の如き従来の問題を解決し、所期の目的を達成するための請求項１の発明は、接続しようとするフレキシブル板状電線の端子部が挿入される板状電線挿入部を有するハウジングと、前記板状電線挿入部内に突出する弾性接触部を有し、プリント配線基板に接続される複数のコンタクトと、前記板状電線挿入部に挿抜自在で、該板状電線挿入部に挿入されることにより、前記フレキシブル板状電線の端子部を前記コンタクトの弾性接触部に弾性的に接触させるスライダーと、前記ハウジングに回動自在に支持された操作レバーとを備え、該操作レバーには、前記スライダーに設けられた従動部に当接するカム部を有し、前記操作レバーを回動させることにより、前記カム部が前記従動部を押圧して、前記スライダーを、板状電線挿入部に挿入された位置と、板状電線挿入部から抜け出た位置との間で進退させるようにしてなるフレキシブル板状電線接続用コネクタにおいて、前記カム部は、前記操作レバーの回動軸中心からの距離が異なる複数のカムを有し、前記操作レバーを回動させることによって、該各カムが前記従動部のそれぞれ対応する部分に順に当接し、前記スライダーを順次動作させるようにしたことを特徴とする。
【０００８】
このように構成することにより、スライダーのスライド量を多く取ることができ、フレキシブル板状電線に当接する押圧面の面積も大きくなるので、フレキシブル板状電線を好適に保持することができる。
【０００９】
請求項２の発明は、請求項１の構成に加え、各カムが、それぞれ押圧曲面を有し、該各押圧曲面が段差をなすように配置され、前記スライダーが、前記各カムがそれぞれ当接される複数の従動面が段状に配置された従動部を備え、前記操作レバーを回動させることにより前記スライダーの従動面に対してそれぞれ対応する前記各カムが順に当接して、前記スライダーを順次動作させるようにしたことを特徴とする。
【００１０】
このように構成することにより、スライダーのスライド量をより多く取ることができる。
【００１１】
請求項３の発明は、請求項１又は２の構成に加え、スライダーが、板状電線挿入部から抜け出た位置にある際に、プリント配線基板に固着されるコンタクトを視覚可能な確認用窓を備えたことを特徴とする。
【００１２】
このように構成することにより、確認し辛かったコンタクトとプリント配線基板との半田付け等の接続状態を好適に確認することができる。
【００１３】
請求項４の発明は、請求項１、２又は３の構成に加え、スライダーが、フレキシブル板状電線に沿って板状電線挿入部に挿入され、その板状電線側面に、前記フレキシブル板状電線の側縁部に形成された抜け止め凹部が係合される抜け止め突起を備えたことを特徴とする。
【００１４】
このように構成することによって、フレキシブル板状電線が抜けにくくなり、好適な接続状態を維持することができる。
【００１５】
【発明の実施の形態】
次に、本発明に係るフレキシブル板状電線接続用コネクタの実施の形態を図について説明する。尚、上述の従来例と同一の部分には、同一符号を付して説明を省略する。
【００１６】
図１、図２は本発明に係るフレキシブル板状電線接続用コネクタを示し、符号２０はフレキシブル板状電線接続用コネクタ、符号２１はＦＰＣ等のフレキシブル板状電線、符号７は、コネクタが接続されたプリント配線基板である。
【００１７】
フレキシブル板状電線２１は、図３に示すように、可撓性を有し、その端部の一方の面にプリント配線により千鳥状配置に形成された導電パターン２１ａ，２１ａ…からなる端子部が設けられ、フレキシブル板状電線接続用コネクタ２０を介してプリント配線基板７に電気的に接続されるようになっている。
【００１８】
また、このフレキシブル板状電線２１の側縁部には、抜け止め凹部２２が形成されている。
【００１９】
プリント配線基板７は、図１１に示す従来例と同様に、表面にプリント配線により千鳥状に配置された接続端子部７ａ，７ａ…を備えて構成されている。
【００２０】
フレキシブル板状電線接続用コネクタ２０は、板状電線挿入部２３を有するハウジング２４と、２種類の複数のコンタクト２５，２６と、板状電線挿入部２３に挿抜自在なスライダー２７と、操作レバー２８とを備え、操作レバー２８を回動させることにより、スライダー２７を、板状電線挿入部２３に挿入された位置と、板状電線挿入部２３から抜け出た位置との間で進退させるようにし、スライダー２７が板状電線挿入部２３から抜け出た位置では、フレキシブル板状電線２１を板状電線挿入部２３に対して小さな力で挿抜できるようになっている。
【００２１】
ハウジング２４は、図４に示すように、絶縁性プラスチック樹脂によって、横長直方体状に形成され、その正面側に開口してフレキシブル板状電線２１が挿入される横長スリット状の板状電線挿入部２３が設けられている。
【００２２】
また、このハウジング２４には、板状電線挿入部２３と連通し、正面側に開口した正面側コンタクト挿入溝２９，２９…と、背面側に開口した背面側コンタクト挿入溝３０，３０…とが設けられ、正面側コンタクト挿入溝２９にコンタクト２５が、背面側コンタクト挿入溝３０にコンタクト２６がそれぞれ挿入されて保持され、２種類のコンタクト２５，２６の接触部が板状電線挿入部２３内にフレキシブル板状電線２１の導電パターンと対応して千鳥配置で突出するようになっている。
【００２３】
ハウジング２４の両側部には、底部３１ａとその両側縁より立ち上げた外側壁部３１ｂ及び取付用突片３１ｃからなるガイド枠３１，３１が、上方に開口し、取付用突片３１ｃをハウジング２４に設けられた取付用孔に圧入することにより、ハウジングの側面に沿って連続した配置となるように取り付けられている。
【００２４】
ガイド枠３１の外側壁部３１ｂには、スライダー２７の外側面に突設されたスライド用突起３２がスライド自在に支持されるスライド用支持溝３３が形成され、このガイド枠３１によって、ハウジング２４に組み込まれたスライダー２７を前後方向にスライド自在に支持するとともに、操作レバー２８を回動自在に抜け止めするようになっている。
【００２５】
また、このガイド枠３１には、外向きに取付片３４が突設され、この取付片３４をプリント配線基板７の取付用パターン７ｂに半田付け等により固着させることにより、フレキシブル板状電線接続用コネクタ全体をプリント配線基板に固定することができるようになっている。
【００２６】
コンタクトは、それぞれ、弾性を有する銅合金等の導電性金属板を二股のフォーク状に打ち抜いて形成されたものを２種類使用する。
【００２７】
コンタクト２５は、図５（ａ）に示すように、先端に接触部３５ａを有する弾性接触片部３５と、弾性接触片部３５と連続配置に形成され、ハウジング２４に取り付けられる固定片部３６と、弾性接触片部３５と二股フォーク状を為すように形成され端部をプリント配線基板の端子部に接続される端子部３７ａとした反力受け用の支持片部３７とを備えている。
【００２８】
一方、コンタクト２６は、図５（ｂ）に示すように、基端側がハウジング２４に保持され、先端側がフレキシブル板状電線の端子部と接触部３８ａで弾性的に接触する弾性接触片部３８と、弾性接触片部３８と二股フォーク状を為すように形成された反力受け用の支持片部３９と、支持片部３９と連続配置に形成されたプリント配線基板に接続する端子片部４０とを備えている。
【００２９】
このコンタクト２５，２６は、コンタクト２５をハウジングの正面側から、コンタクト２６をハウジングの背面側からそれぞれコンタクト挿入溝に挿入し、各接触部３５ａ，３８ａを板状電線挿入部２３内に突出させるようになっている。
【００３０】
スライダー２７は、図６に示すように、絶縁性プラスチック樹脂をもって形成され、板状電線挿入部２３に挿入される平板状の押圧板部４１と、その両側に配置されたスライド腕部４２，４２とを備えて一体に形成されている。
【００３１】
スライド腕部４２の外側には、ガイド枠３１のスライド用支持溝３３にスライド自在に嵌合するスライド用突起３２が突設され、スライド腕部４２の内側には、従動用凹部４３が形成されている。
【００３２】
この従動用凹部４３の正面側、即ち、スライダー２７の抜け出し方向側縁部には、従動面４４からなる抜け出し方向用従動部が形成され、この抜け出し方向用従動部の内側に段状に切り欠いた形状の逃げ用凹欠部４５が形成されている。
【００３３】
また、従動用凹部４３の背面側、即ち、スライダー２７の挿入方向側縁部には、初動従動面４６及び二次動従動面４７が段状に配置された挿入方向用従動部が形成されている。
【００３４】
また、押圧板部４１は、板状電線挿入部２３に挿抜自在で、板状電線挿入部２３にフレキシブル板状電線の端子部とともに挿入され、フレキシブル板状電線の端子部を下面よりコンタクト２５，２６の接触部３５ａ，３８ａの方向へ押圧するようになっており、押圧板部４１の厚さでコンタクトの撓み量、即ち接触圧を調整することができる。
【００３５】
更に、押圧板部４１は、確認用窓４８，４８…を備え、スライダー２７が板状電線挿入部２３から抜け出た位置にある際に、プリント配線基板７に固着されるコンタクト２５の端子部３７ａ，３７ａ…を視覚可能なようになっている。
【００３６】
また、押圧板部４１の基板側面には、フレキシブル板状電線の抜け止め凹部２２が係止される係止用突起４９が突設されている。
【００３７】
このスライダー２７は、押圧板部４１が板状電線挿入部２３に対して挿抜自在で、両側のスライド腕部４２，４２がハウジング２４に対してスライド自在に支持されているので、押圧板部４１が板状電線挿入部２３に挿入された位置と、抜け出た位置との間で進退自在となっている。
【００３８】
操作レバー２８は、図７に示すように、絶縁性プラスチック樹脂をもって全体がコ字状に成形され、横長ロッド状の操作部５０の両側に、一対の回動腕部５１，５１が一体に設けられている。
【００３９】
回動腕部５１には、先端部内側に回動軸５２が突設され、回動軸５２がハウジング外側面に枢支されることにより、操作レバー２８がハウジング２４に対して回動自在に支持されるようになっている。また、回動腕部５１の外側には、スライダー２７を従動させるカム部５３が設けられている。
【００４０】
カム部５３は、それぞれ回動軸中心からの距離が異なる押圧曲面５４ａ，５５ａを有する初動カム５４及び二次動カム５５を備え、初動カム５４と二次動カム５５とは、各押圧曲面５４ａ，５５ａが操作レバー２８の回動半径方向にずれて段差をなすように配置され、その回動半径方向の段差は、スライダーの挿入方向用従動面４６，４７の段差より大きくなっている。
【００４１】
また、初動カム５４の押圧曲面の反対側には、平面状の押圧斜面５４ｂ及び押圧平面５４ｃが連続配置に形成されている。
【００４２】
初動カム５４は、抜け出し方向用従動部に対しては、押圧斜面５４ｂ及び５４ｃが対応する従動面４４に接するようになっており、挿入方向用従動部に対しては、押圧曲面５４ａが対応する初動従動面４６に当接するようになっている。
【００４３】
一方、二次動カム５５は、抜け出し方向用従動部に対しては、逃げ用凹欠部４５を設けたことで、スライダー２７に接触しないようになっており、挿入方向用従動部に対しては、押圧曲面５５ａが対応する二次動従動面４７に当接するようになっている。
【００４４】
次に、このフレキシブル板状電線接続用コネクタの動作状態を図８、図９について説明する。
【００４５】
操作レバー２８を図８（ａ）の位置から正面側、即ち抜け出し方向に回動操作させると、図８（ｂ）に示すように、スライダー２７の抜け出し方向用の従動面４４に初動カム５４の押圧斜面５４ｂが当接し、スライダー２７を抜け出し方向に従動させる。
【００４６】
さらに操作レバー２８を抜け出し方向に回動させると、図８（ｃ）に示すように、初動カム５４の抜け出し方向従動面４４に当接する位置が、押圧斜面５４ｂから押圧平面５４ｃに移行し、押圧平面５４ｃが抜け出し方向従動面４４に当接してスライダー２７を抜け出し方向に従動させる。
【００４７】
そして、初動カム５４の押圧平面５４ｃを従動面４４に当接させた状態で、図８（ｄ）に示すように、操作レバーをハウジング２４に対して斜め方向に起立するまで回動させると、その位置でスライダー２７のスライド用突起３２がスライド用支持溝３３の縁部に当接して、スライドが停止し、スライダー２７は板状電線挿入部２３から抜け出た状態となる。
【００４８】
この状態では、板状電線挿入部２３にスライダーの押圧板部４１が挿入されていないので、板状電線挿入部２３内に突出したコンタクトの接触部３５ａ，３８ａと、その接触部と対向する板状電線挿入部内壁面との間に、フレキシブル板状電線の厚さより広い間隙ができ、フレキシブル板状電線をコンタクト２５，２６からの接触圧を受けずに挿入することができるようになっている。
【００４９】
尚、上述のスライダー２７の抜け出し方向の一連の動作において、二次動カム５５は、逃げ用凹欠部４５を設けたことによってスライダー２７に接触しないようになっている。
【００５０】
次に、板状電線挿入部２３にフレキシブル板状電線を挿入し、操作レバー２８を斜めに起立した位置（図９（ａ））から背面側、即ち挿入方向側に回動動作させると、図９（ｂ）に示すように、回動半径の小さい初動カム５４の押圧曲面５４ａが挿入方向用初動従動面４６に当接し、スライダー２７を挿入方向へ従動させる。
【００５１】
この状態で操作レバー２８をある位置まで回動させると、図９（ｃ）に示すように、回動半径の大きい二次動カム５５の押圧曲面５５ａが、挿入方向用二次動従動面４７に当接する。この位置より更に操作レバー２８を回動させると、カム部５３の段差が挿入方向用従動面の段差よりも大きく形成されているため、徐々に初動カム５４の押圧曲面５４ａが挿入方向用初動従動面４６より離れ（図９（ｄ））、スイッチしたように二次動カム５５の押圧曲面５５ａに挿入方向用二次動従動面４７が押されてスライダー２７を従動させるようになっている。
【００５２】
このように、カム部５３を回動軸中心と押圧曲面との間の距離が異なる初動カム５４と二次動カム５５とにより構成し、回動軸中心と押圧曲面との間の距離が小さいカム５４から順に当接させて、スライダー２７を従動させることにより、カム部５３を一つのカムで構成するよりも長いスライド量を確保することができる。
【００５３】
そして、操作レバー２８をスライダー２７と平行となる位置（図９（ｅ））まで回動させると、スライダー２７は、押圧板部４１が板状電線挿入部２３内に挿入される前進位置で停止する。
【００５４】
この状態では、板状電線挿入部２３の隙間に挿入されたスライダー２７の押圧板部４１によりフレキシブル板状電線２１は、コンタクトの接触部３５ａ，３８ａの方向に押し付けられ、弾性接触片部３５，３８が撓んでフレキシブル板状電線２１の導電パターンと接触部３５ａ，３８ａとが所定の接触圧で弾性的に接触し、良好な電気接続がなされるとともに、フレキシブル板状電線２１の下面にスライダーの押圧板部４１が密着するので、フレキシブル板状電線２１に引き抜き方向の力が加わっても不用意に抜けることがない。
【００５５】
そして、上記の状態を解除して、フレキシブル板状電線２１を引き抜くには、操作レバー２８を正面側に回動させ、図９（ａ）に示す状態に戻せば、フレキシブル板状電線２１を小さな力で容易に板状電線挿入部２３より引き抜くことができる。
【００５６】
尚、上述の実施例では、抜け出し方向の動作に関し、初動カム５４のみでスライダー２７を従動させたが、この初動カム５４の代わりに、二次動カム５５のみでスライダー２７を従動させるようにしてもよい。
【００５７】
また、上述の実施例では、従動用凹欠部４３の正面側、即ち、スライダー２７の抜け出し方向側縁部に逃げ用凹欠部４５を設けて、抜け出し方向の一連の動作において、二次動カム５５をスライダー２７に接触させないようにした例について説明したが、逃げ用凹欠部４５の正面側、即ち、スライダー２７の抜け出し方向側縁部を抜け出し方向用の二次動従動面とし、抜け出し方向の動作において、初動カム５４を抜け出し方向従動面４４に当接させて、スライダーを押圧させるのに続けて、二次動カム５５の押圧曲面５５ａとは反対側の平面部を抜け出し方向二次動従動面（逃げ用凹欠部の正面側縁）に当接させ、スライダー２７を順次従動させるようにしてもよい。
【００５８】
【発明の効果】
上述のように、本発明に係るフレキシブル板状電線接続用コネクタは、小型化されてもスライダーのスライド量を十分に取ることができ、スライダーの押圧面部とフレキシブル板状電線との接触面積を大きくとることができるので、コンタクトとフレキシブル板状電線とを十分な接触圧で接触させて保持することができ、フレキシブル板状電線が不用意に抜けるようなことがない。
【００５９】
また、スライダーに確認用窓を設けることによって、容易にコンタクトとプリント配線基板との接続状態を確認することができ、より信頼性を高めることができる。
【００６０】
また、スライダーが、フレキシブル板状電線に沿って板状電線挿入部に挿入され、その基板側面に、前記フレキシブル板状電線の側縁部に形成された抜け止め凹部が係合される抜け止め突起を備えたことによって、フレキシブル板状電線が抜けにくくなり、好適な接続状態を維持することができる。
【図面の簡単な説明】
【図１】（ａ）は本発明に係るフレキシブル板状電線接続用コネクタの実施形態の一例を示す平面図、（ｂ）は同側面図である。
【図２】（ａ）は図１中のＡ−Ａ線断面図、（ｂ）は操作レバーを挿入方向に回動させた状態の同Ｂ−Ｂ線断面図である。
【図３】フレキシブル板状電線の一例を示す平面図である。
【図４】（ａ）は図１中のハウジングを示す平面図、（ｂ）は同正面図、（ｃ）は同背面図である。
【図５】（ａ）は図１中の一方のコンタクトを示す側面図、（ｂ）は他方のコンタクトを示す側面図である。
【図６】（ａ）は同上のスライダーを示す平面図、（ｂ）は同縦断面図である。
【図７】（ａ）は同上の操作レバーを示す平面図、（ｂ）は同底面図、（ｃ）は同側面図である。
【図８】同上の操作レバーを抜け出し方向に回動させた際のカム部とスライダーとの関係を示す説明図である。
【図９】同上の操作レバーを挿入方向に回動させた際のカム部とスライダーとの関係を示す説明図である。
【図１０】従来のフレキシブル板状電線接続用コネクタの一例を示す分解斜視図である。
【図１１】同上のプリント配線基板の一例を示す平面図である。
【符号の説明】
２０  フレキシブル板状電線接続用コネクタ
２１  フレキシブル板状電線
２２  抜け止め凹部
２３  板状電線挿入部
２４  ハウジング
２５、２６  コンタクト
２７  スライダー
２８  操作レバー
２９  正面側コンタクト挿入溝
３０  背面側コンタクト挿入溝
３１  ガイド枠
３２  スライド用突起
３３  スライド用支持溝
３４  取付片
３５  弾性接触片部
３６  固定片部
３７  支持片部
３８  弾性接触片部
３９  支持片部
４０  端子片部
４１  押圧板部
４２  スライド腕部
４３  従動用凹部
４４  従動面
４５  逃げ用凹欠部
４６  初動従動面
４７  二次動従動面
４８  確認用窓
４９  係止用突起
５０  操作部
５１  回動腕部
５２  回動軸
５３  カム部
５４  初動カム
５５  二次動カム
【図１】
0003656125.tif 000002
【図２】
0003656125.tif 000003
【図３】
0003656125.tif 000004
【図４】
0003656125.tif 000005
【図５】
0003656125.tif 000006
【図６】
0003656125.tif 000007
【図７】
0003656125.tif 000008
【図８】
0003656125.tif 000009
【図９】
0003656125.tif 000010
【図１０】
0003656125.tif 000011
【図１１】
0003656125.tif 000012